(57)【要約】一方に不規則または特別な形状の上部部分（３）を有し、他方に通常の方法で他の同様の石（１）と一緒に、そのような石（１）を並べることを可能とする手段（４）を備えることを特徴とする舗装面を形成する石。
2005508462.tif 000002
【特許請求の範囲】
【請求項１】
一方で不規則または特別な形状の上部部分（３）を有し、他方で、通常の方法で他の同様の石（１）と一緒に、そのような石（１）を並べることを可能とする手段（４）を備えることを特徴とする舗装面を形成する石。
【請求項２】
前記手段（４）は、前記石（１）の上部側面より低く、前記石（１）の側面に位置する接触部分（５）から構成され、その部分は規則的な輪郭（８）を決定することを特徴とする請求項１に記載の石。
【請求項３】
平面図でみて、前記上部の不規則な形状の部分（３）の輪郭は、前記規則的な輪郭（８）の内側に位置することを特徴とする請求項２に記載の石。
【請求項４】
前記手段（４）は、前記不規則な形状の上部部分（３）の下に位置し、より特に、基礎の形状において実現される規則的な形状の部分（９）で構成されることを特徴とする請求項１から３のいずれかに記載の石。
【請求項５】
それは、下に位置する前記部分（９）に対して横に後退している上部部分（３）、より特に、前記不規則な形状の部分（３）を見せることを特徴とする請求項１から４のいずれかに記載の石。
【請求項６】
前記後退部分（１０）は、アンダーカットを見せることを特徴とする請求項５に記載の石。
【請求項７】
それの頂上で、より特に、前記不規則な形状の部分（３）で狭まり、および／または、下方向に傾斜し内側に向かう側面（１１）を、それは含み、
その結果、同様の石（１）と一緒にそのような石（１）が並んでいるとき、いわゆるくさび型接合開口（１２）が作られることを特徴とする請求項６に記載の石。
【請求項８】
それの側面で、そのような石（１）のいくつかがお互い押し合って横方向に並べられているとき、水の通路（１４）を保証する部分（１３）を、それは備え、その部品（１３）は、上から下に向かって見て、前記不規則な形状の部分（３）の下および／または前記後退部分（１０）の下端（１５）から始まることを特徴とする請求項１から７のいずれかに記載の石。
【請求項９】
水のための通路（１４）を形成する前記部分（１３）は前記基礎の１以上の側面（６）に形成された１以上の溝で構成されることを特徴とする請求項４または８に記載の石。
【請求項１０】
その下に位置する部分によって形成される輪郭（８）に対して、
上部部分（３）の側面に沿うような輪郭を伴う、後退部分（１０）が形成されている上部部分（３）を含み、その結果、それらの石（１）の上部部分（３）を隣接して、同様の石（１）を押し合わせこの石（１）を並べるとき、充填材で満たすのに適している接合開口（１２）がつくられることを特徴とする舗装面を形成する石。
【請求項１１】
前記後退部分（１０）は、同様の石（１）とともにこの石（１）が並べられているとき、いわゆる反転くさび形そして／もしくは蟻つぎ型の接合開口（１２）がつくられるように実現されることを特徴とする請求項１０に記載の石。
【請求項１２】
その下に位置する部分により形成される輪郭（８）に対して
この上部部分（３）を取り囲むような輪郭を伴う、後退部分（１０）が形成されている上部部分（３）を含み、
そしてこの石（１）は、その側面で、そのような石（１）のいくつかを互いに接して並べたとき、水の通路（１４）を形成する部分（１３）を備え、そしてその部分（１３）は、上から底をみて、石（１）の底まで延びるために、前記上部部分（３）より下で始まっていることを特徴とする舗装面を形成する石。
【請求項１３】
前記不規則な形状の部分（３）および／または前記後退部分（１０）は、少なくとも０．５ｃｍ、より望ましくは、少なくとも１ｃｍである高さ（Ｈ）または、例えば接合開口（１２）の深さを越えて延びていることを特徴とする請求項１から１２のいずれかに記載の石。
【請求項１４】
それはコンクリート製の石（１）であることを特徴とする請求項１から１３のいずれかに記載の石。
【発明の詳細な説明】
【技術分野】
【０００１】
この発明は、舗装面を形成する石に関する。本発明において、舗装面とは石によって覆われているすべての地面を意味しているが、公共事業による、例として、道路や広場の形成であろうと、私的な分野の用途、例として、車道やテラス等の建設であろうと関わっている。そして、屋根に覆われた場所でのそのような舗装面への適用も除外するものではない。
【０００２】
最初の例において、本発明はコンクリート製の石に関する。注入コンクリートの石もしくは振動コンクリートの石のどちらか一方、さらに一般的にいえば、他の基礎材料からつくられた石を適用してもよい。
【０００３】
舗装面は、丸石のような自然の石で実現できることが知られている。丸石の不規則な形状のため、規則的な形状の石より並べることが困難であり、結果的に舗装を行う人が良い順番に丸石を並べるための技能をもっている必要がある。
【０００４】
舗装面は、古典的なコンクリート製の石、さらに詳しくいえば、規則的な形状を有することが知られている焼過れんがでつくることができることも知られている。焼過れんがの有利な点は、単純に準備された下層、例えば平らな砂の土台の上にそれらを、お互いをすぐ隣にしお互いを接触させて配置することにより、舗装面が簡単に実現できることである。
【０００５】
しかしながら、不利な点は、そのような焼過れんがを用いては自然な外観をもつ舗装面が実現できないことである。
【０００６】
第１の側面に従えば、本発明は、一方に上側は、例えば、自然石の模造である不規則な形状を有する不規則または特別に形作られた外観を見せることができ、そして他方に規則的な形状を有する焼過れんがと同等に容易に並べることができ、このため経験があり特別な技能を有する人間が必要でなくなるような石を目的とする。
【０００７】
この目的のため、本発明は、一方に不規則または特別に形作られた上部を有し、他方に通常の方法で他の同様な石とともにそのような石を並べるための手段を与えるという特徴を有する舗装面を形成する石に関する。
【０００８】
石の敷設は前記手段によって決定され、不規則または特別に形作られた上部によっては決定されない。そして、それらの手段の特有の設計のために、石は今まで通り単純な方法で、互いに押し当てて順番に並べることができる。
【０００９】
前記手段は、規則的な輪郭を定める部分であり、石の上部側面より低く、石の側面に位置する接触部分により構成されていることが好ましい。
【００１０】
それにより、並べている間、石はお互いに接触部を接触させ簡単に設置することができる。結果として、いかなる特別な技術を必要とすることなしに、石の正確なお互いの配置がいつも実現できる。
【００１１】
実際的には、上から見て、前記不規則な形状の上部の輪郭は、前記規則的な輪郭の範囲内に位置している。この方式において、石はいつも上部の不規則な設計によって阻害されることなく、通常の方法で最下部の規則的な形状の部分でお互い押し付けあって並べることができる。
【００１２】
最も好ましい実施の形態において、前記手段は、前記不規則な形状の上部部分の下に位置しており、そして、さらにとりわけ、基礎の形状において実現される規則的な形状の部分で構成されている。
【００１３】
上記の結果として、同様の石に対してこの石を並べるとき、砂や充填用のモルタルのような充填材によって満たされるのに適しているこれらの石の上部に隣接して接合部分がつくられるような方法において、上部部分、より詳しくは、その下の位置の部分に対して横に後退した前記不規則な形状の部分を有することが好ましい。結果として規則的な形状を有する下の部分は、充填剤により満たされた接合部分によって視界から隠される。実際は、石はお互い押し付け合って固定された位置にあり、結果として相互の移動が排除されているのにもかかわらず、石がゆったりとして並んでいる印象も創り出される。
【００１４】
後退した部分は、アンダーカットを有するのが好ましい。前記接合部分に供給される充填材が良好に保持されるという有利な点を伴う。
【００１５】
さらにとりわけ、アンダーカットは、同様な石とともにそのような石を並べたとき、いわば、反転くさび形接合開口が作りだされるように実現されることが望ましい。その結果として、そこに供給される砂や硬化する充填モルタルのような充填材がこの接合開口に特によく保持される。
【００１６】
特有の実施形態において、石はその側面に、そのような石のいくつかが横にお互い押し付け合い並べられたとき、水の通路を保証する部分を備える。その部分は、上から下方を見て、不規則な形状の部分の下および／または、後退した部分の下端から始まる。この部分は石の上部表面より下であり、その上の部分は砂などに満たされていることを意味しているので、水の通り道を保証するべき部分は、いつも視界から隠されている。
【００１７】
そして、水の通路を保証する部分が、得られる舗装面の表面の外観において邪魔する要因、特に石の視認できる上部表面にまで広がっている場合に確か邪魔になりうる要因を形作らないという有利な点を伴う。
【００１８】
実際の実施形態において、水のための通路を形作る部分は、前記基礎の１以上の側面に形作られた１以上の溝により構成されている。
【００１９】
砂や充填用のモルタルにより満たすことのできる接続部がつくられた後退した部分の用途も、不規則かつ特別の形状の上側部分を有さない石の実施例の組み合わせにおいても有利な点となりうるということについて指摘しておく。
【００２０】
本発明の２番目の側面によれば、本発明は、その下に位置する部分により形成されている輪郭に対して、上部部分の側面に沿ってそのような輪郭を有する上部部分と、同様の石を押し当てて並べたとき、接合部が充填材で満たすのに適しているそれらの石の上部部分に隣接して作り出されるように形成されている後退部分とから構成されているという特徴を伴う舗装を形成する石に関するものでもある。
【００２１】
ここで、上部部分は規則的な形状を有していても良い。
【００２２】
これは、一方で石はお互い押し付け合って並べることができる、他方で砂や他の充填材により満たされた接合部が視認できる上部の表面に作り出すことができるという有利な点を有する。
【００２３】
もう一つの有利な点は、すくなくとも上部表面は、お互い隣接して並べられた石の間に、セメントのような硬化するモルタルで満たされている接合部を作り出すことが可能となり、結果として、完全に密な舗装面の表面が実現できることである。
【００２４】
テラスを建設するときにこれは特に有用である。コンクリート製の石がお互いゆるく押し付け合って並べられているとき、しばしば生じるケースである石の間からの砂の漏れが完全に避けられる。
【００２５】
これは、水がしみこむことが制限され避けられなければならず、および／または石の間で雑草の成長する危険性を最小化することが望まれる場所への適用にも有用である。
【００２６】
この場合、後退部分が好ましくは実現され、同様の石とともにこの石を並べるとき、いわゆる反転くさび形接合開口が作り出されることも明らかである。
【００２７】
最下層から始まり、いつも舗装面に対する視界からは隠されている互いの石の間の水の通過を高める部分の適用は、前述のように上部部分が、必ずしも特別のまたは不規則の形状を有するとは限らない石の実施例の組み合わせにおいても有利な点となり得る。
【００２８】
本発明の第３の側面によれば、舗装面を次のように形成する石に関する。それは、その下に位置する部分により形成される輪郭に対して、この上部部分を取り囲むような輪郭を伴う後退部分が形成されている上部部分を含み、この石は、そのような石のいくつかが互いに隣接して並べられたとき、水の通路が形成される部分をその側面に備え、その部分は、上から下方を見て、石の底まで広げるために前記上部部分の下で始まるという特徴を有する。
【００２９】
一般的に、前記不規則な形状の部分および／または前記後退部分は、少なくとも０．５ｃｍ、さらに好ましくは少なくとも１ｃｍの高さ、深さ、の各々で延びていることが好ましく、その結果、たとえ緩い砂で構成されていても、満たされている接合部分は、無事に保証される。
【００３０】
前述から本発明はコンクリート製の石の場合、特に有用であることが明らかである。
【００３１】
本発明の特徴をより良く見せる目的のために、以下、いかなる限定的な特徴を除いた例として、いくつかの望ましい実施形態について図面を参照して述べる。
【００３２】
図１から５に表されるように、本発明は、舗装面２を形成し、一方に不規則または特別な形状の上部部分３を備え、他方に通常の方法で他の同様の石１を一緒に並べることを可能とする手段４を備えている石１に関するものである。
【００３３】
手段４は、石１の上部側面７より低い位置にあり、石１の側面６に位置する接触部品５によって構成される。それによってこれら接触部品５は図３において、破線で示されている規則的な輪郭８を決定する。
【００３４】
これら接触部品５は、上部部分３の下に位置し、基礎の形状を実現する規則的な形状の下方部分９の側壁で構成されている。
【００３５】
平面図をみると、上部部分３の輪郭は輪郭８の中に位置しているということが図３より明らかである。
【００３６】
この方法において、上部部分３は下部部分９に対して後退部分１０を有する。
【００３７】
図５と同様に、図１と２から明らかなように、後退部分１０は望ましくは、アンダーカットとして実現される。そしてそれは側面１１を下方へ狭めることにより形成される。その結果、図５にみることができるように、同様の石１を一緒に並べるとき、いわゆるくさび型接合開口１２が作られる。
【００３８】
さらに、石１は、その側面、さらにことさら１以上の側面に、図５に示すように、石１のいくつかが互いに押し合って横に並べられたとき、水の通路１４を保証する部分１３を備えることが好ましい。
【００３９】
そして、その部分１３は、不規則な形状の上部部分３の下の下方向におよび／または後退部分１０の下側面１５から始まる。
【００４０】
この場合において、部分１３は、各々の横の表面６に設けられた垂直の溝によって形成される。
【００４１】
上部部分３および／または後退部分１０が延び、接合開口１２の深さとして称される、高さＨは好ましくは少なくとも０．５ｃｍ、さらに好ましくは少なくとも１ｃｍあるのがよい。
【００４２】
石１の用途、さらにとりわけ、舗装面２がそれをもって形成される方法は単純に図４と５からと同様に上記記述から達せられる。しかしながら、明確さのため、以下短く説明する。
【００４３】
図５に表されているように、これも伝統的に古典的な焼過れんがに実施されるように、石１は、例として平らな砂の土台１６に設けられている。ここで、それらは単純にお互いに接触部分５を押し合わせて位置している。
【００４４】
上部部品３はいつも下方部分９の輪郭８の中に位置している。上部部品３の不規則な形状は通常の方法で石１を並べることに対し障害となる形状ではない。
【００４５】
ここで、比較的深い接合開口１２が作られる。そしてそれは、上述したように、好ましくは、反転したくさび型、または、さらに正確に定義すれば蟻つぎ形状を有するのがよい。
【００４６】
比較的深い接合開口１２の結果として、それらが砂１７等により満たされた後、砂１７はほとんど接合開口１２から漏れることはない。
【００４７】
その結果、保証された方法において下方部分９は視界から隠れたままとなる効果が得られる。
【００４８】
くさび型のため、砂１７はさらに接合開口１２の中により良く保持される。
【００４９】
上述した部分１３も、石１の上部側面７の下の、相対的に大きな距離、すなわち高さＨと一致する距離で始まるので、いつも砂１７等がそれらの上に存在するであろう。
【００５０】
その結果、接合開口１２が通常の方法で満たされているとき、部分１３が上部表面の外観を乱すことがないという効果が得られる。
【００５１】
本発明は特定の石の設計に限定されないことは明らかである。例として、図６から１６において、そのような石１の多くの別形が表されている。
【００５２】
図６から８では、曲がり、かつくさび形の石１が表されている。
【００５３】
図９から１１では、下部部分９は相対的に低い高さを有し、後退部分１０は、周囲の周りに広がったへこんだ部分として実現している別形を表している。
【００５４】
図１２から１３は、上端の不規則な形状の上部部分３が直線状の側面を有するが、ある程度に下の位置に、アンダーカットが形成される傾斜側面１１を有する。
【００５５】
図１４と１５では他の別形が表されている。その基礎の上部部分３は、その基礎の下部部分９と接続している。これは、図１から１３の実施例とは反対となっている。それによって、上部部分３と下部部分９との間の移行は段状になっている。
【００５６】
図１６は、接触部品５は必ずしも塊状の基礎から構成される必要はなく、局部的に存在する要素、この場合では、石１の下部のコーナー部材として実現されていてもよいことを表している。
【００５７】
最後に、後退部分１０の使用および／またはより低い層で始まる部分１３の使用も、不規則な形状ではないが、直線状の側面または規則的な形状の輪郭の側面を有し規則的に作られている上部部分を備える石１の組み合わせで可能であるということを記載しておく。
【００５８】
本発明は、例として述べ、そして図に表された実施形態に決して限定されるものではない。逆に、本発明の範囲を逸脱することなく、そのような石を異なる形状や寸法で実現することも可能である。
【図面の簡単な説明】
【００５９】
【図１】本発明に従う石の斜視図
【図２】図１の石の側面図
【図３】図１の石の平面図
【図４】図１から３に表されるような、石から形成される舗装面の部分を表している。
【図５】図４のＶ−Ｖ線による断面を表している
【図６】別形としての図１から３のそれらと類似の図を表している。
【図７】別形としての図１から３のそれらと類似の図を表している。
【図８】別形としての図１から３のそれらと類似の図を表している。
【図９】さらに他の別形を表している。
【図１０】さらに他の別形を表している。
【図１１】さらに他の別形を表している。
【図１２】他の別形を表している。
【図１３】他の別形を表している。
【図１４】他の別形を表している。
【図１５】他の別形を表している。
【図１６】特殊な実施例を表している。
【図１】
2005508462.tif 000003
【図２】
2005508462.tif 000004
【図３】
2005508462.tif 000005
【図４】
2005508462.tif 000006
【図５】
2005508462.tif 000007
【図６】
2005508462.tif 000008
【図７】
2005508462.tif 000009
【図８】
2005508462.tif 000010
【図９】
2005508462.tif 000011
【図１０】
2005508462.tif 000012
【図１１】
2005508462.tif 000013
【図１２】
2005508462.tif 000014
【図１３】
2005508462.tif 000015
【図１４】
2005508462.tif 000016
【図１５】
2005508462.tif 000017
【図１６】
2005508462.tif 000018
【国際公開パンフレット】
2005508462.tif 000019
2005508462.tif 000020
2005508462.tif 000021
2005508462.tif 000022
2005508462.tif 000023
2005508462.tif 000024
2005508462.tif 000025
2005508462.tif 000026
2005508462.tif 000027
2005508462.tif 000028
2005508462.tif 000029
2005508462.tif 000030
2005508462.tif 000031
2005508462.tif 000032
2005508462.tif 000033
2005508462.tif 000034
2005508462.tif 000035
2005508462.tif 000036
【国際調査報告】
2005508462.tif 000037
2005508462.tif 000038